(57)【要約】【課題】回路規模の増大化を回避しつつ、雑音の発生を低減し得る電気光学装置及びその駆動方法を提供すること。【解決手段】走査線を選択する選択部１３と、選択部１３により選択された走査線に印加するゲート電圧を生成する第１の電圧生成部１４と、共通電極線に印加するコモン電圧を生成する第２の電圧生成部１６と、コモン電圧を所定期間ごとに反転させる反転部１７と、データ線に画像信号を供給するデータ線駆動回路１９と、垂直同期信号Ｓ１と、水平同期信号Ｓ２と、画像信号Ｓ３とに基づいて、所定の信号Ｓ４、Ｓ５、Ｓ６を生成し、信号Ｓ４を走査線駆動回路１５に供給し、信号Ｓ５をデータ線駆動回路１９に供給し、信号Ｓ６をコモン線駆動回路１８に供給するタイミング／コントローラ２０と、水平同期信号Ｓ７の周波数を所定範囲内で変調する周波数変調部２１を備える。【選択図】図２
2008015295.tif 000002
【特許請求の範囲】
【請求項１】
複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置であって、
前記複数の走査線を所定の順番で選択する走査線駆動回路と、
前記共通電極に印加する電圧を供給する共通電極駆動回路と、
前記走査線が選択されたときに前記データ線に画像信号を供給するデータ線駆動回路と、を備え、
前記共通電極駆動回路は、水平同期信号の周波数の変調に応じて、前記共通電極に印加する電圧を反転させるタイミングを所定範囲内で変化させることを特徴とする電気光学装置。
【請求項２】
前記水平同期信号の周波数を所定範囲内で変調する周波数変調手段を更に備えることを特徴とする請求項１記載の電気光学装置。
【請求項３】
複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置であって、
前記複数の走査線を所定の順番で選択する走査線駆動回路と、
前記共通電極に印加する電圧を供給する共通電極駆動回路と、
前記走査線が選択されたときに前記データ線に画像信号を供給するデータ線駆動回路と、を備え、
前記共通電極駆動回路は、前記共通電極に印加される電圧の反転期間を同一にして前記共通電極に供給し、
前記走査線駆動回路は、前記反転期間における前記走査線を選択する期間を当該反転期間ごとに異ならせることを特徴とする電気光学装置。
【請求項４】
前記データ線駆動回路は、前記走査線を選択する期間に応じて前記データ線に供給する画像信号の供給タイミングを変更することを特徴とする請求項３記載の電気光学装置。
【請求項５】
請求項１乃至４のいずれか１項に記載の電気光学装置を備えたことを特徴とする電子機器。
【請求項６】
複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置の駆動方法であって、
前記複数の走査線を所定の順番で選択し、
前記走査線が選択されたときに前記データ線に画像信号を供給し、
水平同期信号の周波数の変調に応じて、前記共通電極に印加する電圧を反転させるタイミングを所定範囲内で変化させることを特徴とする電気光学装置の駆動方法。
【請求項７】
複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置の駆動方法であって、
前記複数の走査線を所定の順番で選択し、
前記走査線が選択されたときに前記データ線に画像信号を供給し、
前記共通電極に印加される電圧の反転期間を同一にして前記共通電極に供給し、
前記反転期間における前記走査線を選択する期間を当該反転期間ごとに異ならせることを特徴とする電気光学装置の駆動方法。
【発明の詳細な説明】
【技術分野】
【０００１】
本発明は、液晶表示装置などの電気光学装置及び電気光学装置の駆動方法並びに電気機器に関する。
【背景技術】
【０００２】
従来より、電気光学装置として、アクティブマトリクス型の液晶表示装置が知られている。このアクティブマトリクス型の液晶表示装置は、複数の走査線およびコモン線、これら走査線およびコモン線に略直交する複数のデータ線、ならびに、走査線及びデータ線の交差に対応して設けられた複数の画素回路を有する第１の基板と、この第１の基板に対向して設けられた第２の基板と、前記第１の基板および前記第２の基板の間に設けられた電気光学物質である液晶と、を備えている。
【０００３】
また、液晶表示装置には、走査線を駆動する走査線駆動回路と、データ線を駆動するデータ線駆動回路と、が設けられている。
【０００４】
ここで、液晶の分子配列方向は、第２の基板の表面に形成された共通電極に印加される電圧と、各液晶のセルごとに設けられたトランジスタのオン／オフ動作によって、第１の基板に形成されている画素電極に印加される電圧とによって、制御される。
【０００５】
また、一般に、液晶表示装置は、液晶材料の信頼性を確保するために、所定期間ごとに、各画素の液晶に印加される電圧の極性を反転させる交流駆動によって駆動される。このような交流駆動による液晶表示装置の駆動方式には、ライン反転方式や、ソース反転方式、ドット反転方式等がある。このうち、ライン反転方式では、ラインごとに極性を反転させて、各液晶セルに画像信号を印加する。例えば、１水平（１Ｈ）期間ごとに、共通電極に印加される電圧と、液晶セルに印加される画像信号の電圧とを変化させることにより、液晶セルに印加される電圧の極性を反転させるようになっている。
【０００６】
このように、液晶表示装置がライン反転方式によって駆動されると、共通電極への電圧の印加（共通電極の駆動）に合わせて、第２の基板が振動することになる。共通電極の駆動周波数は、現在の携帯電話用の液晶パネル（ＱＶＧＡ）で、約１０ｋＨｚであるため、液晶表示装置の駆動時に、理論的には、耳障りな音鳴り（雑音）としてユーザに知覚される可能性がある。
【０００７】
このような液晶表示装置で発生する雑音を低減させるために、種々の技術が提案されており、例えば、消費電力の増加を抑えつつ、共通電極の駆動周波数を人間の可聴帯域よりも高くする技術が提案されている（例えば、特許文献１参照）。
【特許文献１】特開２００５−２３４１３９号公報
【発明の開示】
【発明が解決しようとする課題】
【０００８】
しかしながら、先行技術では消費電力の増加を抑えることは可能であるが、駆動周波数を高くすることで水平表示期間が短くなってしまう。そのために、液晶に電圧がかかる時間が十分に取れない場合がある。
【０００９】
また、共通電極の駆動周波数を可聴周波数以上に変更するために専用の処理部が必要となり、回路規模が増大してしまい、コスト増につながってしまう。
【００１０】
また、実際に雑音が発生するのは、ゲート信号（走査線信号）がオンの期間である。
【００１１】
そこで、本発明は、上述した問題点を解決するためになされたものであって、回路規模の増大化を回避しつつ、雑音の発生を低減し得る電気光学装置及びその駆動方法を提供することにある。
【課題を解決するための手段】
【００１２】
本発明の電気光学装置は、複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置であって、前記複数の走査線を所定の順番で選択する走査線駆動回路と、前記共通電極に印加する電圧を供給する共通電極駆動回路と、前記走査線が選択されたときに前記データ線に画像信号を供給するデータ線駆動回路と、を備え、前記共通電極駆動回路は、水平同期信号の周波数の変調に応じて、前記共通電極に印加する電圧を反転させるタイミングを所定範囲内で変化させることを特徴とする。
【００１３】
この発明によれば、水平同期信号の周波数の変調に応じて、１Ｈの期間を極端に短くすることなく、共通電極に印加する電圧の反転タイミングを所定範囲内（所定周波数範囲内）で変化（変調）するので、共通電極に印加する電圧に起因して発生する音の周波数帯域を広げ（分散させ）、音圧レベルを低減することができるので、結果として、雑音の発生を低減することができる。また、本発明では、共通電極に印加する電圧を反転させるタイミングを所定範囲内で変化させるだけなので、１フレーム全体で６０Ｈｚが維持され、また、共通電極に印加する電圧を反転させるタイミングをＨＦＰ（Ｈｏｒｉｚｏｎｔａｌ  ｆｒｏｎｔｐｏｒｃｈ）又はＨＢＰ（Ｈｏｒｉｚｏｎｔａｌ  Ｂａｃｋｐｏｒｃｈ）の期間内で変化させているので、表示特性に影響を与えない。また、内蔵クロック付きの表示ドライバを備える電気光学装置であるならば、カウンタの水平周期を変調させるだけで良いので、回路規模の増大を伴わず、雑音の発生を低減することができる。また、本発明では、外部において水平同期信号の周波数が変調され、当該水平同期信号に応じて共通電極に印加する電圧を反転させるタイミングを変化する構成でも良く、電気光学装置に水平同期信号の周波数を変調する手段を有していなくても、雑音の音圧レベルを低減することができるので、結果として、雑音の発生を低減することができる。
【００１４】
また、上述の電気光学装置では、水平同期信号の周波数を所定範囲内で変調する周波数変調手段を更に備えることが好ましい。
【００１５】
この発明によれば、周波数変調手段により水平同期信号の周波数を任意の範囲内で変調することができるので、水平同期信号の周波数の変調に応じて共通電極に印加する電圧の反転タイミングを任意に変更することができる。したがって、電気光学装置ごとに共通電極に印加する電圧の反転タイミングの調整を行い、雑音の音圧レベルを低減し、結果として、雑音の発生を低減することができる。
【００１６】
また、本発明の電気光学装置は、複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置であって、前記複数の走査線を所定の順番で選択する走査線駆動回路と、記共通電極に印加する電圧を供給する共通電極駆動回路と、前記走査線が選択されたときに前記データ線に画像信号を供給するデータ線駆動回路と、を備え、前記共通電極駆動回路は、前記共通電極に印加される電圧の反転期間を同一にして前記共通電極に供給し、前記走査線駆動回路は、前記反転期間における前記走査線を選択する期間を当該反転期間ごとに異ならせることを特徴とする。
【００１７】
この発明によれば、共通電極に印加される電圧の反転期間を同一（一定）とし、当該反転期間における走査線の選択期間を当該反転期間内で変化するので、雑音の周波数帯域を広げ（分散させ）、音圧レベルを低減することができ、結果として、雑音の発生を低減することができる。また、本発明では、走査線の選択期間を共通電極に印加される電圧の反転期間内で変化させるだけなので、１フレーム全体で６０Ｈｚが維持され、また、走査線の選択期間をＨＦＰ（Ｈｏｒｉｚｏｎｔａｌ  ｆｒｏｎｔｐｏｒｃｈ）又はＨＢＰ（Ｈｏｒｉｚｏｎｔａｌ  Ｂａｃｋｐｏｒｃｈ）の期間内で変化させているので、表示特性に影響を与えない。
【００１８】
また、上述の電気光学装置では、データ線駆動回路は、前記走査線を選択する期間に応じて前記データ線に供給する画像信号の供給タイミングを変更することが好ましい。
【００１９】
この発明によれば、走査線を選択する期間に応じてデータ線に供給する画像信号の供給タイミングを調整することにより、消費電力を低減することができる。
【００２０】
また、本発明の電子機器は、上述の電気光学装置を備えたことを特徴とする。
【００２１】
また、本発明の駆動方法は、複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置の駆動方法であって、前記複数の走査線を所定の順番で選択し、前記走査線が選択されたときに前記データ線に画像信号を供給し、水平同期信号の周波数の変調に応じて、前記共通電極に印加する電圧を反転させるタイミングを所定範囲内で変化させることを特徴とする。
【００２２】
この発明によれば、水平同期信号の周波数の変調に応じて、１Ｈの期間を極端に短くすることなく、共通電極に印加する電圧の反転タイミングを所定範囲内（所定周波数範囲内）で変化（変調）するので、共通電極に印加する電圧に起因して発生する音の周波数帯域を広げ（分散させ）、音圧レベルを低減することができるので、結果として、雑音の発生を低減することができる。また、本発明では、共通電極に印加する電圧を反転させるタイミングを所定範囲内で変化させるだけなので、１フレーム全体で６０Ｈｚが維持され、また、共通電極に印加する電圧を反転させるタイミングをＨＦＰ（Ｈｏｒｉｚｏｎｔａｌ  ｆｒｏｎｔｐｏｒｃｈ）又はＨＢＰ（Ｈｏｒｉｚｏｎｔａｌ  Ｂａｃｋｐｏｒｃｈ）の期間内で変化させているので、表示特性に影響を与えない。また、内蔵クロック付きの表示ドライバを備える電気光学装置であるならば、カウンタの水平周期を変調させるだけで良いので、回路規模の増大を伴わず、雑音の発生を低減することができる。
【００２３】
また、本発明の駆動方法は、複数の走査線と複数のデータ線との交差に対応して画素電極が設けられた第１の基板と、前記画素電極に対向して共通電極が設けられた第２の基板と、前記第１の基板と前記第２の基板との間に挟持された電気光学物質と、を備えた電気光学装置の駆動方法であって、前記複数の走査線を所定の順番で選択し、前記走査線が選択されたときに前記データ線に画像信号を供給し、前記共通電極に印加される電圧の反転期間を同一にして前記共通電極に供給し、前記反転期間における前記走査線を選択する期間を当該反転期間ごとに異ならせることを特徴とする。
【００２４】
この発明によれば、共通電極に印加される電圧の反転期間を同一（一定）とし、当該反転期間における走査線の選択期間を当該反転期間内で変化するので、雑音の周波数帯域を広げ（分散させ）、音圧レベルを低減することができ、結果として、雑音の発生を低減することができる。また、本発明では、走査線の選択期間を共通電極に印加される電圧の反転期間内で変化させるだけなので、１フレーム全体で６０Ｈｚが維持され、また、走査線の選択期間をＨＦＰ（Ｈｏｒｉｚｏｎｔａｌ  ｆｒｏｎｔｐｏｒｃｈ）又はＨＢＰ（Ｈｏｒｉｚｏｎｔａｌ  Ｂａｃｋｐｏｒｃｈ）の期間内で変化させているので、表示特性に影響を与えない。
【発明を実施するための最良の形態】
【００２５】
以下、本発明の実施形態を図面に基づいて説明する。なお、以下の実施形態および変形例の説明にあたって、同一構成要件については同一符号を付し、その説明を省略もしくは簡略化する。
【００２６】
＜第１の実施形態＞
図１は、本発明の第１実施形態に係る電気光学装置１の構成を示すブロック図である。電気光学装置１は、ライン反転駆動方式を採用しており、液晶パネルＡＡと、図示しないバックライトユニットとを備えている。液晶パネルＡＡは、複数の画素５０を有する表示領域Ａを有している。
【００２７】
電気光学装置１は、図１に示すように、画素電極が設けられてなる第１の基板（以下、アレイ基板という。）１０と、画素電極に対向する位置に共通電極が設けられてなる第２の基板（以下、対向基板という。）１１と、アレイ基板１０と対向基板１１との間に挟持されてなる電気光学物質１２とを備える。なお、図１は、電気光学装置の断面図を示している。
【００２８】
また、電気光学装置１は、図２に示すように、走査線Ｙ１〜Ｙｍを選択する選択部１３と、選択部１３により選択された走査線Ｙ１〜Ｙｍに印加する第１の電圧（以下、ゲート電圧という。）を生成する第１の電圧生成部１４と、共通電極（コモン）線に印加する第２の電圧（以下、コモン電圧という。）を生成する第２の電圧生成部１６と、コモン電圧を所定期間ごとに反転させる反転部１７と、データ線Ｘ１〜Ｘｎに画像信号を供給する画像信号供給部（以下、データ線駆動回路という。）１９と、垂直同期信号Ｓ１と、水平同期信号Ｓ２と、画像信号Ｓ３とに基づいて、所定の信号Ｓ４、Ｓ５、Ｓ６を生成し、信号Ｓ４を走査線駆動回路１５に供給し、信号Ｓ５をデータ線駆動回路１９に供給し、信号Ｓ６をコモン線駆動回路１８に供給する制御部（以下、タイミング／コントローラという。）２０とを有する。また、電気光学装置１は、水平同期信号の周波数を所定範囲内で変調する周波数変調部２１を備える。周波数変調部２１は、外部から入力される水平同期信号Ｓ７を変調し、変調後の水平同期信号Ｓ２をタイミング／コントローラ２０に供給する。また、選択部１３と、第１の電圧生成部１４とは、走査線駆動回路１５を構成する。また、第２の電圧生成部１６と、反転部１７とは、コモン線駆動回路１８を構成する。
【００２９】
ここで、液晶パネルＡＡの構成について説明する。液晶パネルＡＡは、図３に示すように、複数の画素５０を有する表示領域Ａを有しており、所定間隔おきに交互に設けられたそれぞれｍ本（ｍは２以上の自然数）の走査線Ｙ１〜Ｙｍおよびコモン線（容量線）Ｚ１〜Ｚｍと、これら走査線Ｙおよびコモン線Ｚに交差し所定間隔おきに設けられたｎ本（ｎは２以上の自然数）のデータ線Ｘ１〜Ｘｎと、を備える。また、画素５０は、各走査線Ｙと各データ線Ｘとの交差部に設けられる。
【００３０】
画素５０は、画素トランジスタ５１、画素電極５５、この画素電極５５に対向する共通電極５６、および、一端が画素電極５５に電気的に接続され他端がコモン線Ｚに電気的に接続された蓄積容量５３で構成される。
【００３１】
画素トランジスタ５１のゲート電極には、走査線Ｙが接続され、画素トランジスタ５１のソース電極には、データ線Ｘが接続され、画素トランジスタ５１のドレイン電極には、画素電極５５および蓄積容量５３が接続されている。また、画素電極５５と共通電極５６との間には、電気光学物質としての液晶が挟持される。したがって、この画素トランジスタ５１は、走査線Ｙから選択電圧が印加されると、データ線Ｘと画素電極５５および蓄積容量５３とを導通状態とする。
【００３２】
共通電極５６は、液晶パネルＡＡの四隅に設けられた導通部４１およびこれら導通部４１同士を接続する共通配線４２を介して、コモン線Ｚと接続される。
【００３３】
走査線駆動回路１５は、画素トランジスタ５１を導通状態にする選択電圧を走査線Ｙ１〜Ｙｍに線順次で供給する。例えば、ある走査線Ｙに選択電圧が供給されると、この走査線Ｙに接続された画素トランジスタ５１が全て導通状態になり、この走査線Ｙに係る画素５０が全て選択される。
【００３４】
コモン線駆動回路１８は、負極性の第１電位又はこの第１電位よりも高い正極性の第２電位の駆動信号をコモン線Ｚに供給する。具体的には、このコモン線駆動回路１８は、これら負極性の第１電位および正極性の第２電位の間で、１水平走査期間ごとに極性を反転させる。
【００３５】
データ線駆動回路１９は、走査線Ｙが選択される期間において、画像信号を各データ線Ｘに供給し、導通状態の画素トランジスタ５１を介して、画素５０の画素電極５５に画像データを順次書き込む。
【００３６】
また、データ線駆動回路１９は、共通電極５６の電位が第１電位である場合には、第１電位よりも高い正極性の電位でデータ線Ｘに画像信号を供給し、共通電極５６の電位が第２電位である場合には、第２電位よりも低い負極性の電位でデータ線Ｘに画像信号を供給する。
【００３７】
また、タイミング／コントローラ２０は、水平同期信号Ｓ２の周波数の変調に応じて、コモン電圧を反転させるタイミングを所定範囲内で変化するように反転部１７を制御する制御信号Ｓ６を生成する。
【００３８】
ここで、タイミング／コントローラ２０の動作について詳述する。タイミング／コントローラ２０は、入力された画像信号Ｓ３に基づいてデータ線駆動回路１９に適合した画像信号Ｓ５に変換し、変換後の画像信号Ｓ５をデータ線駆動回路１９に供給する。また、タイミング／コントローラ２０は、垂直同期信号Ｓ１及び水平同期信号Ｓ２に基づいて走査線駆動回路１５と、コモン線駆動回路１８と、データ線駆動回路１９とに適合した信号をそれぞれ生成し、生成したそれぞれの信号を走査線駆動回路１５と、コモン線駆動回路１８と、データ線駆動回路１９とに供給する。
【００３９】
ここで、電気光学装置１の液晶パネルＡＡの駆動原理について詳述する。電気光学装置１で行われる各液晶セルへの画像信号の書込みは、一般に、交流駆動によって行われる。例えば、ライン反転方式で交流駆動する際には、画素電極５５に印加される画像信号の極性が、走査信号線ごとに反転するように駆動される。交流駆動によって液晶パネルＡＡを駆動する場合、液晶に印加される電圧の実効値は、画素電極５５に印加される電圧と、共通電極５６に印加されるコモン電圧との差によって決定される。そのため、ライン反転方式で電気光学装置１を駆動する際には、各画素電極５５に印加される電圧の極性が反転した場合にも、液晶に印加される電圧の実効値が等しくなるように、共通電極５６にコモン電圧が印加される。したがって、画素電極５５に印加される電圧の極性（画像信号の極性）の反転に合わせて、共通電極５６のコモン電圧の極性も反転させる必要がある。
【００４０】
また、共通電極５６のコモン電圧の極性を反転させる駆動を行うと、共通電極５６が設けられている対向基板１１が、共通電極５６への電圧の印加によって振動する。この対向基板１１の振動の周波数が人間の可聴帯域内である場合、液晶表示装置の駆動時に音鳴り（雑音）として知覚される可能性がある。
【００４１】
本発明では、タイミング／コントローラ２０に入力される水平同期信号Ｓ２は、周波数変調部２１により所定範囲内で変調されており、タイミング／コントローラ２０は、当該変調に応じた制御信号Ｓ６を生成し、生成した制御信号Ｓ６をコモン線駆動回路１８に供給する。コモン線駆動回路１８は、タイミング／コントローラ２０から供給される制御信号Ｓ６に基づいてコモン電圧を生成し、コモン線Ｚに供給する。
【００４２】
ここで、図４に、従来のコモン線駆動回路により生成されるコモン電圧（間隔が一定となっている）と、本発明に係るコモン線駆動回路１８により生成されるコモン電圧（間隔が一定範囲内で変調されている）との比較図を示す。なお、図４（Ａ）には、従来のコモン線駆動回路により生成されるコモン電圧の波形を示し、図４（Ｂ）には、本発明に係るコモン線駆動回路により生成されるコモン電圧の波形を示す。また、従来の装置においては、図５（Ａ）に示すように、特定の周波数（約８ｋＨｚ）の音圧レベルが１０ｄＢを超えるノイズが発生しているが、本発明に係る電気光学装置１においては、図５（Ｂ）に示すように、広い範囲の周波数帯域（６ｋＨｚ〜９ｋＨｚ）にノイズ成分が広がっており、ノイズ成分の音圧レベルが低下している。したがって、本発明に係る電気光学装置１では、ノイズレベルを非常に低いレベルに低減することができる。
【００４３】
また、図６に、コモン線駆動回路１８から出力される変調されたコモン電圧と、走査線駆動回路１５から出力されるゲート電圧と、データ線駆動回路１９から出力される画像信号（ソース信号）のタイミングチャートを示す。図６に示すように、コモン電圧は、書き込み時間に影響しないように、ＨＦＰ（Ｈｏｒｉｚｏｎｔａｌ  ｆｒｏｎｔｐｏｒｃｈ）の期間内で変調されている。なお、コモン電圧は、ＨＢＰ（Ｈｏｒｉｚｏｎｔａｌ  Ｂａｃｋｐｏｒｃｈ）の期間内で変調される構成であっても良い。
【００４４】
また、本実施形態では、周波数変調部２１により水平同期信号Ｓ７の周波数を所定範囲内で変調するが、周波数変調部２１を有さない構成であっても良い。この構成の場合には、外部から周波数が所定範囲内で変調された水平同期信号Ｓ２がタイミング／コントローラ２０に入力される。
【００４５】
＜第２実施形態＞
つぎに、第２実施形態について説明する。なお、上述した第１実施形態の電気光学装置１と同様の構成要素には同一の番号を付す。
【００４６】
電気光学装置２は、図７に示すように、走査線Ｙ１〜Ｙｍを選択する選択部１３と、選択部１３により選択された走査線Ｙ１〜Ｙｍに印加するゲート電圧を生成する第１の電圧生成部１４と、共通電極（コモン）線に印加するコモン電圧を生成する第２の電圧生成部１６と、コモン電圧を所定期間ごとに反転させる反転部１７と、データ線Ｘ１〜Ｘｎに画像信号を供給する画像信号供給部（以下、データ線駆動回路という。）１９と、垂直同期信号Ｓ１と、水平同期信号Ｓ７と、画像信号Ｓ３とに基づいて、所定の信号Ｓ５、Ｓ８、Ｓ９を生成し、信号Ｓ８を走査線駆動回路１５に供給し、信号Ｓ５をデータ線駆動回路１９に供給し、信号Ｓ９をコモン線駆動回路１８に供給する制御部（以下、タイミング／コントローラという。）３０とを有する。また、選択部１３と、第１の電圧生成部１４とは、走査線駆動回路１５を構成する。また、第２の電圧生成部１６と、反転部１７とは、コモン線駆動回路１８を構成する。
【００４７】
タイミング／コントローラ３０は、画像信号Ｓ３の帰線期間内でゲート電圧をオンにする期間を変化させる制御信号Ｓ８を生成し、生成した制御信号Ｓ８を走査線駆動回路１５に供給する。
【００４８】
ここで、図８に、コモン線駆動回路１８から出力されるコモン電圧と、走査線駆動回路１５から出力される、オンの期間が変調されたゲート電圧と、データ線駆動回路１９から出力される画像信号（ソース信号）のタイミングチャートを示す。本実施形態では、図８に示すように、１水平同期期間を不変とし、ゲート電圧のオンの期間を１水平同期期間ごとに調整している。また、ソース信号は、出力し続ける構成であっても良いが、装置全体の消費電力を考慮すると、図８に示すように、ゲート電圧のオンの期間に応じてソース信号の出力も調整した方が良い。
【００４９】
このようにして、電気光学装置２は、ゲート電圧をオンにする期間を変化させることにより、上述の電気光学装置１と同様に、可聴周波数付近のノイズレベルを非常に低いレベルに低減することができる。
【００５０】
＜応用例＞
つぎに、上述した実施形態に係る電気光学装置１を適用した電子機器について説明する。図９は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００５１】
なお、電気光学装置１が適用される電子機器としては、図９に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００５２】
【図１】本発明に係る電気光学装置の断面図である。
【図２】本発明に係る電気光学装置の第１の構成例を示すブロック図である。
【図３】図２に示す電気光学装置の液晶パネルの詳細を示す模式図である。
【図４】コモン電圧の波形を示す図であり、（Ａ）は、従来のコモン線駆動回路により生成されるコモン電圧の波形を示し、（Ｂ）は、本発明に係るコモン線駆動回路により生成されるコモン電圧の波形を示す。
【図５】発生する周波数と音圧レベルとの関係を示す特性図であり、（Ａ）は、従来の装置により発生する周波数と音圧レベルとの関係を示す図であり、（Ｂ）は、本発明に係る電気光学装置により発生する周波数と音圧レベルとの関係を示す図である。
【図６】ゲート電圧と、コモン電圧と、ソース信号との関係を示すタイミングチャートである。
【図７】本発明に係る電気光学装置の第２の構成例を示すブロック図である。
【図８】ゲート電圧と、コモン電圧と、ソース信号との関係を示すタイミングチャートである。
【図９】上述した電気光学装置を適用した携帯電話機の構成を示す斜視図である。
【符号の説明】
【００５３】
１、２…電気光学装置、１３…選択部、１４…第１の電圧生成部、１５…走査線駆動回路、１６…第２の電圧生成部、１７…反転部、１８…コモン線駆動回路、１９…画像信号供給部（データ線駆動回路）、２０、３０…制御部（タイミング／コントローラ）、２１…周波数変調部、３０００…携帯電話機。
【図１】
2008015295.tif 000003
【図２】
2008015295.tif 000004
【図３】
2008015295.tif 000005
【図４】
2008015295.tif 000006
【図５】
2008015295.tif 000007
【図６】
2008015295.tif 000008
【図７】
2008015295.tif 000009
【図８】
2008015295.tif 000010
【図９】
2008015295.tif 000011